(57)【要約】【課題】本考案は、打球安定度及びボール進行方向の正確なコントロールが可能な打球装置の提供。【解決手段】本考案はクラブヘッド１及び重り４を備える打球装置を提供する。前記クラブヘッド１には螺合筒１３を備え、重り４はネジ接合方式によって螺合筒１３内に結合し、重り４を回転することにより螺合筒１３内での重り４の位置を移動させて調節するものであり、これによりクラブヘッド１の重心を変更させることが可能となる。打球者の異なる希望、習慣に応え、クラブヘッド１の重心の自由な調節を提供し、打球者は最良の打球安定性及び球進行方向を獲得することが可能となる。【選択図】図１
0003149278.tif 000002
【実用新案登録請求の範囲】
【請求項１】
クラブヘッドと嵌合管と弾性部品と重りを備える打球装置において、
前記クラブヘッドは、螺合筒及び凹孔を備え、前記螺合筒の凹孔に対応する箇所には穿孔を設け、
前記弾性部品は、嵌合管内に配置し、嵌合管は弾性部品と共に螺合筒内に挿入し、嵌合管は穿孔の外に貫通突出して凹孔を圧止しており、前記弾性部品は嵌合管の外側に突出して螺合筒内に延伸し、
前記重りはネジ接合方式で螺合筒内に結合し、前記弾性部品は重りを圧して支持することを特徴とする打球装置。
【請求項２】
請求項１記載の打球装置において、前記螺合筒には内ネジ山部を備え、重りには外ネジ山部を備え、外ネジ山部を内ネジ山部に螺合することにより重りを螺合筒内に螺着結合することを特徴とする打球装置。
【請求項３】
請求項１記載の打球装置において、重りには弾性部品を嵌合して圧する突出柱を備えることを特徴とする打球装置。
【請求項４】
請求項２記載の打球装置において、前記打球装置は更に螺合筒の内ジ山部に結合する蓋体を備え、蓋体は内ネジ山部後方端に形成する開口を封鎖することを特徴とする打球装置。
【請求項５】
請求項１記載の打球装置において、前記重りには回転工具が圧して連結する嵌入穴を備えることを特徴とする打球装置。
【考案の詳細な説明】
【技術分野】
【０００１】
本考案は打球装置を提供するものであり、特にクラブヘッド１にネジ接合方式で重りを結合し、重りの位置移動によってクラブヘッドの重心位置を変更し打球者の異なる打球要望に対応させる打球装置である。
【背景技術】
【０００２】
現在、ゴルフは既に一般的な運動となりゴルファー人口も年々増加している。ゴルフの最も重要な事は、ボールをグリーンのホール内に入れることでありホールインするかどうかが競技の勝敗を決定する。現段階で使用されているクラブにはそのヘッドにフェース面を設け、そのフェース面でゴルフボールを打撃するもので、クラブヘッドは固定方式により最低一つの重りを結合してクラブヘッドの重心を下げている。
しかし、最低一つの重りは調節不可能方式でクラブヘッド上に固定されていてクラブヘッドの重心位置が固定され変化させることはできず、ゴルファーの打球要望に応じて自由にクラブヘッドの重心位置を変化させることが不可能である故、打球安定度及びボール進行方向の効果的なコントロールができずにホールインの失敗を引き起こしている。
また、ゲートボール人口も日々上昇しており、ゲートボールにおける打球安定度及びボール進行方向の正確なコントロールは同様に無視できない課題となっている。
【考案の概要】
【考案が解決しようとする課題】
【０００３】
本考案の目的は、打球装置を提供することにある。
【課題を解決するための手段】
【０００４】
螺合筒を備えるクラブヘッドとネジ接合方式で前記螺合筒内に結合される重りを備え、前記重りは螺合筒内で回動し、それにより重りは適当位置まで移動し、更にクラブヘッドの重心位置を調節する打球装置を提供する。
前記螺合筒内壁には内ネジ山部を備え、重り外側には外ネジ山部を備え、外ネジ山部を内ネジ山部に螺合することにより前記重りを螺合筒内に結合する。
前記クラブヘッドは更に嵌合管及び弾性部品を備え、前記クラブヘッドには凹孔を備え、前記螺合筒の凹孔対応箇所には内ネジ山部に繋がる穿孔を設ける。弾性部品を嵌合管内に配置し、嵌合管を弾性部品と共に螺合筒内に挿入することにより、嵌合管は穿孔外に貫通して突出して凹孔を圧止し、しかも弾性部品は嵌合管の外側に突出し螺合筒内に延伸して弾性部品は重りを押圧する。
前記打球装置は更に蓋体を備え、前記蓋体は螺合筒の内ネジ山部に結合し、内ネジ山部後方端の開口１６を封鎖する。
【考案の効果】
【０００５】
本考案の打球装置は、打球安定度及びボール進行方向の正確なコントロールを可能とすることを特徴とする。
【図面の簡単な説明】
【０００６】
【図１】本考案の立体分解図である。
【図２】本考案の断面図である。
【図３】本考案の重りの位置移動をして調節した状態の断面図である。
【図４】本考案の嵌合管、弾性部品、及び蓋体を省略した実施例の断面図である。
【考案を実施するための形態】
【０００７】
まず、図１及び図２に示す通り、本考案の打球装置は、クラブヘッド１、嵌合管２、弾性部品３、重り４、及び蓋体５を備える。
前記クラブヘッド１はシャフトＡの底部に結合され、その前方端にはフェース面１１を備え、フェース面１１の後方側には凹孔１２を設け、クラブヘッド１後方端には螺合筒１３を設け、前記螺合筒１３内側壁には内ネジ山部１４を備え、螺合筒１３前方端には内ネジ山部１４に貫通し凹孔１２に対応する穿孔１５を設け、前記内ネジ山部１４後方端には開口１６を形成する。
前記嵌合管２には内設部２１を備え、弾性部品３を嵌合管２の内設部２１内に設置し、重り４は外ネジ山部４１、嵌入穴４２、及び突出柱４３を備え、蓋体５にはネジ山部５１及び貫通孔５２を設け、貫通孔５２は重り４の嵌入穴４２に係合する。
【０００８】
組立てる場合、先ず嵌合管２を弾性部品３と共にクラブヘッド１の螺合筒１３内に挿入し、嵌合管２を穿孔１５外に貫通させてクラブヘッド１の凹孔１２を圧止し、並びに弾性部品３一端を嵌合管２の外側に突出させ、螺合筒１３内に延伸させる。続いて重り４は外ネジ山部４１と内ネジ山部１４を螺合することにより螺合筒１３内に結合し、弾性部品３の二端はそれぞれ重り４の突出柱４３及びクラブヘッド１の凹孔１２に嵌合し圧して支持する状態となる。これは図２に示す通りであり、重り４は押圧されて定位した状態になっており、最後に蓋体５はネジ山部５１によって螺合筒１３の内ネジ山部１４に螺合され、しかも蓋体５は内ネジ山部１４の開口１６を封鎖する。
【０００９】
ゴルフやゲートボール等のスポーツにおける打球時の打球ミスを防ぐ為に、回転工具Ｂを使って蓋体５の貫通孔５２から螺合筒１３内に進入させ、図３に示す通り、重り４の嵌入穴４２を圧して、重り４を適当位置まで回転させて位置移動・調節を行い、クラブヘッド１の重心位置を変更する。クラブヘッド１の重心は打球者の個人的習慣によって調節を加えて変更させることができ、弾性部品３が重り４を圧して支持している故、打球時の揺れによって重り４が位置移動するのを防ぐ。図２及び図３に示す通り、クラブヘッド１の重心位置は異なる打球者の要望に応じて調整を加えて移動させることが可能であり、これにより打球の安定性を得られる。
【００１０】
本考案は、嵌合管２、弾性部品３、及び蓋体５は省略して使用しないことも可能である。即ち、図４に示すような実施例において、重り４を適当位置まで回転して調節することによりクラブヘッド１の重心を変更させることも同様に可能である。
【００１１】
前述した実施例は、一つの螺合筒１３に嵌合管２、弾性部品３、重り４及び蓋体５を装着した説明であったが、本考案はまた複数の螺合筒１３を設置することも可能であり、前記複数の螺合筒１３にはそれぞれ嵌合管２、弾性部品３、重り４、及び蓋体５を備える。
前記重り４は、実際の要望に応じて異なる材質及び異なる重量とすることが可能であり、クラブヘッド１の重心調節は更なる多様性を備える。重り４はまた複数の重り体にカットしてクラブヘッド１の螺合筒１３内に装着することも可能であり（未図示）、同様に、クラブヘッド１の重心調節は更なる多様性を備える。
【００１２】
前述の本考案の構造説明により、本考案のクラブヘッド１はネジ接合方式で重り４を結合し、螺合筒１３内での重り４の位置を移動し調節することが理解される。また、クラブヘッド１の重心を自由に変化させられる為、異なる打球者の異なる打球習慣及び要望に応えることが可能となり、打球者は最良の打球安定性及び球進行方向を獲得でき、これにて本考案の進歩性を示している。
【符号の説明】
【００１３】
１  クラブヘッド
１１  フェース面
１２  凹孔
１３  螺合筒
１４  内ネジ山部
１５  穿孔
１６  開口
２  嵌合管
２１  内設部
３  弾性部品
４  重り
４１  外ネジ山部
４２  嵌入穴
４３  突出柱
５  蓋体
５１  ネジ山部
５２  貫通孔
Ａ  シャフト
Ｂ  回転工具
【図１】
0003149278.tif 000003
【図２】
0003149278.tif 000004
【図３】
0003149278.tif 000005
【図４】
0003149278.tif 000006